(57)【要約】      （修正有）【課題】タップ操作により、所望のイベントの記録を簡単にできる活動量計を提供する。【解決手段】活動量計は、加速度センサ１１と、タップ操作がされたときの加速度センサ１１の出力信号に基づいて、タップ操作についての情報を登録し、加速度センサ１１の出力信号から、登録された情報に対応するタップ操作と同じタップ操作の発生を検出し、登録された情報に対応するタップ操作と同じタップ操作の発生が検出されたときに、同じタップ操作の発生したときの時刻情報をメモリ１３に記憶する。【選択図】図３
2016041156.tif 000002
【特許請求の範囲】
【請求項１】
タップ操作がされたとき、前記タップ操作についての情報を検出するタップ操作検出部と、
このタップ操作検出部からの検出情報に基づいて、前記タップ操作についての情報を登録するタップ操作情報登録部と、
前記タップ操作検出部の検出信号から、登録された前記情報に対応するタップ操作と同じタップ操作の発生を検出するタップ操作発生検出部と、
前記タップ操作発生検出部において前記登録された情報に対応するタップ操作と同じタップ操作の発生が検出されたときに、前記同じタップ操作の発生したことを示す情報を出力する同一タップ操作出力部と、
を有する活動量計。
【請求項２】
タップ操作がされたとき、前記タップ操作についての情報を検出するタップ操作検出部と、
このタップ操作検出部からの検出情報に基づいて、前記タップ操作についての情報を登録するタップ操作情報登録部と、
前記タップ操作検出部の検出信号から、登録された前記情報に対応するタップ操作と同じタップ操作の発生を検出するタップ操作発生検出部と、
前記タップ操作発生検出部において前記登録された情報に対応するタップ操作と同じタップ操作の発生が検出されたときに、前記同じタップ操作の発生したときの時刻情報を記憶する時刻情報記憶部と、
を有する活動量計。
【請求項３】
前記タップ操作についての情報は、タップ回数により規定される請求項１又は２に記載の活動量計。
【請求項４】
前記タップ操作についての情報は、前記タップ操作のリズムの情報を含む請求項１又は２に記載の活動量計。
【請求項５】
前記タップ操作情報登録部は、互いに異なる複数のタップ操作についての情報を複数登録する請求項１乃至４のいずれか１つに記載の活動量計。
【請求項６】
前記タップ操作検出部を内蔵するケースを有し、
前記タップ操作は、前記ケースに対して行われる請求項１乃至５のいずれか１つに記載の活動量計。
【請求項７】
前記ケースは、リストバンドである請求項６に記載の活動量計。
【請求項８】
前記タップ操作検出部、前記タップ操作情報登録部、前記タップ操作発生検出部及び前記時刻情報記憶部は、１つのユニット内に収納され、
前記ユニットは、前記ケースに対して着脱可能である請求項７に記載の活動量計。
【発明の詳細な説明】
【技術分野】
【０００１】
本発明の実施形態は、活動量計に関する。
【背景技術】
【０００２】
近年、人の活動量を計測する活動量計が普及してきている。また、従来より、心電図データなどの生体データ、人の行動等を記録する機器も提案されている。  
これらの機器の中には、例えば、人の腕やベルトに装着されて、人の動きを加速度センサで検出し、人の所定の動きの有無の判定を、加速度センサの出力値に基づいて行うものがある。
【０００３】
また、運動量計の衝撃突起に付与された衝撃によって生じた加速度変化から、本体装置への着脱可能な装着体の取り付け及び取り外しを検知することができる体動検出装置も、提案されている。  
しかし、従来の歩数計などやこれらの提案の機器は、加速度センサの出力から所定の動きがあるか否かの判定を行うが、ユーザの全ての行動を正確に判定することはできない。
【０００４】
また、人は、生活の中での行動、出来事などを記録したい場合があり、メモ帳、スマートフォンなどに記録することができるが、メモ帳への書込や、スマートフォンへのデータ入力等は、煩雑である。
【先行技術文献】
【特許文献】
【０００５】
【特許文献１】特開２０１０−１７８９８２号公報
【発明の概要】
【発明が解決しようとする課題】
【０００６】
そこで、本実施形態は、タップ操作により、所望のイベントの記録を簡単にできる活動量計を提供することを目的とする。
【課題を解決するための手段】
【０００７】
実施形態の活動量計は、タップ操作がされたとき、前記タップ操作についての情報を検出するタップ操作検出部と、このタップ操作検出部からの検出情報に基づいて、前記タップ操作についての情報を登録するタップ操作情報登録部と、前記タップ操作検出部の検出信号から、登録された前記情報に対応するタップ操作と同じタップ操作の発生を検出するタップ操作発生検出部と、前記タップ操作発生検出部において前記登録された情報に対応するタップ操作と同じタップ操作の発生が検出されたときに、前記同じタップ操作の発生したことを示す情報を出力する同一タップ操作出力部と、を有する。
【図面の簡単な説明】
【０００８】
【図１】実施形態に関わるリストバンド型の活動量計１の外観図である。
【図２】実施形態に関わる、リストハンド型の活動量計とスマートフォンからなるイベント記録システム１００の構成図である。
【図３】実施形態に関わる活動量計１の構成を示すブロック図である。
【図４】実施形態に関わる、タップ回数の登録処理の例を示すフローチャートである。
【図５】実施形態に関わる、タップ回数の登録処理の他の例を示すフローチャートである。
【図６】実施形態に関わるテーブルTBL1の構成例を示す図である。
【図７】実施形態に関わる、ユーザのタップ操作により、活動量計１にイベント情報の記録がされるときのイベント情報の記録処理の例を示すフローチャートである。
【図８】実施形態に関わる、ユーザのタップ操作により、活動量計１にイベント情報の記録がされるときのイベント情報の記録処理の他の例を示すフローチャートである。
【図９】実施形態に関わるイベント情報テーブルTBL2の構成例を示す図である。
【図１０】実施形態に関わる、タップ回数とイベントの対応関係が登録された対応テーブルTBL3の構成例を示す。
【図１１】実施形態に関わる、表示部２ａに表示されるイベント記録情報リストTBL4の表示例である。
【発明を実施するための形態】
【０００９】
（実施形態）
以下、図面を参照して実施形態を説明する。
（構成）
図１は、本実施形態に関わるリストバンド型の活動量計１の外観図である。図２は、リストハンド型の活動量計とスマートフォンからなるイベント情報記録システム１００の構成図である。
【００１０】
活動量を計測する対象者に装着可能な活動量計１は、ユーザの活動量を記録し、スマートフォン２へ送信することができるリストバンド型の機器である。  
活動量計１は、ユーザの腕（点線で示す）Lに巻かれて装着するために帯状のリストバンド型であり、中央部には細長い形状の操作ボタン３が設けられている。操作ボタン３は、各種設定時などに操作される。
【００１１】
活動量計１は、操作ボタン３などが配設されたバンド４の中央部の両側から延出する２本の延出部４ａと４ｂを有する。バンド４は、活動量計１のケースである。延出部４ａの端部には、留め具５が設けられており、延出部４ｂには、留め具５の突起部（図示せず）が嵌入するための複数の孔６が所定の間隔で形成されている。ユーザは、留め具５に形成された突起部（図示せず）を、任意の位置の孔６に嵌め込むことにより、活動量計１を腕Lに装着することができる。
【００１２】
操作ボタン３は、図１に示すように、活動量計１をユーザの腕Lに装着したとき、腕Lに密着する活動量計１の側面にくるように、活動量計１に配置されている。
尚、操作ボタン３の位置については、図１に示す実施形態では、活動量計１の側面部に付けた例であるが、この実施形態に限定されることなく、腕Lに密着する活動量計１（バンド４あるいは本体部１A）の上面側（すなわち表側）などにくるように、操作ボタン３を設けるようにしても良い。
図２に示すイベント情報記録システム１００は、活動量計１を利用したイベント情報記録システムである。
【００１３】
後述するように、活動量計１は、無線通信機能を有し、後述するイベント情報をスマートフォン２に送信することができる。ユーザは、活動量計１に記録されたイベント情報などのデータを、スマートフォン２に送信し、スマートフォン２のメモリに記憶させ、スマートフォン２が有するアプリケーションプログラムにより管理したり、スマートフォン２の表示部２ａ上に表示させることができる。
【００１４】
なお、活動量計１は、加速度センサを有しており、加速度センサの出力から、ユーザの活動量、歩数などの活動データを生成して、記録し、送信するが、ここでは、これら活動データの記録及び送信については、説明は省略し、活動量計１の機能の１つのイベント情報の記録及び送信処理について説明する。
【００１５】
図３は、本実施形態に関わる活動量計１の構成を示すブロック図である。  
活動量計１は、加速度センサ１１と、制御部１２と、メモリ１３と、無線通信部１４と、時計部１５とを有する１つのユニットである本体部１Aを有する。図１において点線で示ように、本体部１Aは、バンド４の中央部に着脱可能に取り付けられている内部コアである。  
すなわち、リストバンドであるバンド４は、加速度センサ１１等を内蔵するケースであり、ユニットである本体部１Aは、バンド４に対して着脱可能である。加速度センサ１１は、後述するように、タップ操作がされたとき、そのタップ操作についての情報を検出するタップ操作検出部である。
【００１６】
活動量計１は、活動量計測機能、及び後述するイベント記録機能と、計測された活動量の記録及び送信の機能と、記録されたイベント情報の記録及び送信の機能を有する。  
加速度センサ１１は、互いに直交する３軸（X軸、Y軸、Z軸）方向の加速度をそれぞれ検出することができるように、３つのセンサを有し、X軸出力、Y軸出力及びZ軸出力を、各軸について加速度信号として出力する３軸加速度センサである。加速度センサ１１の各出力は、制御部１２に入力される。
【００１７】
図１に示すように、活動量計１がユーザの腕Lに装着されたときに、X軸方向が、手Hの甲の面と平行で、かつ腕Lの軸に対して直交する方向となり、Y軸方向が、手Hの甲の面と平行で、かつ腕Lの軸と平行な方向となり、Z軸方向が、手Hの甲の面に直交する方向となるように、ユーザは、活動量計１を腕Lに装着することができる。図１では、腕Lは、紙面の手前から裏側に向かうように、活動量計１の円環状のバンド４に通されている。  
なお、活動量計１における加速度センサ１１のX軸、Y軸及びZ軸の各軸の方向は、図１に示す方向に限定されない。
【００１８】
なお、ここでは、加速度センサ１１は、３軸加速度センサであるが、４軸以上の加速度センサでもよい。  
制御部１２は、中央処理装置（以下、CPUという）２１、ROM２２、RAM２３、及び図示しない各種インターフェース（以下、I/Fと略す）を有している。
【００１９】
制御部１２のROM２２には、活動量の計測記録のためのプログラムに加えて、後述するタップ回数の登録、イベント情報の設定、記録及び送信のプログラムが格納されている。なお、ROM２２は、フラッシュメモリなどの、書き換え可能な不揮発性メモリでもよい。
【００２０】
CPU２１は、加速度センサ１１のX軸出力、Y軸出力及びZ軸出力を、図示しないI/Fを介して取得することができる。  
さらに、CPU２１は、操作ボタン３の動作状態を図示しないI/Fを介して取得することができる。  
無線通信部１４は、スマートフォン２とのデータ通信を行うための回路であり、近距離無線通信のための回路である。
【００２１】
時計部１５は、時刻情報を生成し出力する回路であり、CPU２１は、時計部１５から、年月日及び時刻の情報を取得することができる。
（作用）
まず、タップの回数の登録処理について説明する。  
例えば、ユーザは、活動量計１を腕に装着しているときに、生活の中の各種イベントを記録したいときがある。イベントは、例えば、食事、間食、トイレなどのイベントである。
【００２２】
以下に説明するように、ユーザは、活動量計１に対して、予め登録された回数のシングルタップ（すなわち軽く１回叩くこと。以下、タップという）をすると、そのときの時刻を、活動量計１のメモリ１３に記録することができる。さらに、ユーザは、タップの回数でイベントを区別して、所望の複数のイベントを活動量計１に記録することができる。例えば、１回のタップと２回のタップをイベント記録のために使用するということをユーザが決めて、そのタップ回数を活動量計１に設定する。
【００２３】
タップ回数とイベントの対応関係は、ユーザが任意に決定するものであり、活動量計１に予め設定されているものではない。後述するように、タップ回数とイベントの対応関係は、ユーザがスマートフォン２において設定する。ユーザが、タップ回数とイベントの対応関係を決めて、ユーザは、活動量計１にタップ回数だけを設定する。
【００２４】
よって、あるユーザＡは、１回のタップを起床のイベントに対応させ、３回のタップを食事のイベントに対応させ、他のユーザＢは、１回のタップを起床のイベントに対応させ、２回のタップを食事のイベントに対応させ、４回のタップを就寝のイベントに対応させる場合がある。その場合、ユーザＡの活動量計１には、１回と３回のタップ回数が登録され、ユーザＢの活動量計１には、１回と２回と４回のタップ回数が登録される。  
なお、上述したイベントは、ユーザの行動であるが、出来事などでもよい。イベントは、例えば、「うれしいことがあった」、「悲しいことがあった」などの出来事でもよい。
【００２５】
よって、ユーザは、所望のイベントと任意のタップ回数を対応させて、タップ回数だけを活動量計１に設定し登録する。
（タップ回数の登録処理）
図４は、タップ回数の登録処理の流れの例を示すフローチャートである。  
ユーザが操作ボタン３に対して所定の操作、例えば長押しすると、CPU２１が、ROM２２から、タップ回数の登録処理プログラムを読み出して、図４の処理が実行される。
【００２６】
操作ボタン３の出力は、CPU２１へ入力されており、CPU２１は、操作ボタン３に対する所定の操作を検出すると、カウンタの値Nを、０にリセットする（S1）。カウンタは、RAM２３中に生成されるカウンタである。
【００２７】
S1の後、CPU２１は、タイマをオンにする（S2）。このタイマは、例えばソフトウエアタイマであり、タイムアウトするまでの時間、例えば３秒、が予め設定されている。  
S2の後、CPU２１は、S12でオンしたタイマがタイムアウトしたか否かを判定する（S3）。
【００２８】
タイマがタイムアウトしていなければ（S3:NO）、CPU２１は、タップの有無を判定する（S4）。このタップの有無の判定は、加速度センサ１１の加速度信号の出力値に基づいて行われる。タップは、例えば、ユーザが、活動量計１のバンド４の中央部付近を、指で軽く叩く動作である。CPU２１は、そのようなタップ時の加速度センサ１１の急峻な出力波形の変化に基づいて、タップの有無を判定することができる。
【００２９】
タップがあったとき（S4:YES）、CPU２１は、カウントを行う（S5）、具体的には、カウンタのカウント値を１だけ増加する。
S5の後、CPU２１は、タイマをリセットし（S6）、カウンタ値Nが、所定数Ln以上であるか否かを判定する（S7）。所定数Lnは、タップ回数の上限値である。
【００３０】
タップがなかったとき（S4:NO）、処理は、S3へ移行する。  
カウンタ値Nが、所定数Ln以上でないとき（S7:NO）、処理は、S2へ移行する。  
また、タイマがタイムアウトしたとき（S3:YES）、CPU２１は、カウント値Nが０（ゼロ）でないかを判定する（S9）。
【００３１】
カウント値Nが０（ゼロ）でないとき（S9:YES）、及びカウンタ値Nが所定数Ln以上であるとき（S7:YES）、CPU２１は、カウント値Nを、メモリ１３の所定のテーブルTBL1に登録する（S8）。  
カウント値Nが０（ゼロ）であるとき（S9:NO）、処理は、終了する。  
以上のようにして、タップ回数の登録が行われる。
【００３２】
なお、図４の処理に代えて、図５の処理でもよい。  
図５は、タップ回数の登録処理の他の例を示すフローチャートである。なお、図５において、図４と同じ処理については、同じステップ番号（S）を付して、説明は、簡単に行う。
【００３３】
S1とS2の処理の後、CPU２１は、タップの有無を判定する（S4）。  
タップがあったとき（S4:YES）、CPU２１は、カウントを行う（S5）。具体的には、タイマオン（S11）の後、最初のタップがあったと判定されたときは、CPU２１は、RAM２３中のカウンタのカウント値を１にするカウントを行う。タップがないときは（S4:NO）、処理は、S3へ移行する。
【００３４】
タップがなかったとき（S4:NO）、及びカウントを行った後（S5）、CPU２１は、タイマがタイムアウトしたか否かを判定する（S3）。  
タイムアウトしていないとき（S3:NO）、処理は、S4に戻る。タイムアウトすると（S3:YES）、CPU２１は、S5でカウントしたカウント値を、メモリ１３の所定のテーブルTBL1に登録する。よって、図５の登録処理方法は、タイマがオンしてから、タイムアウトするまでの間にタップされた回数だけカウントが行われる方法である。
【００３５】
図６は、テーブルTBL1の構成例を示す図である。テーブルTBL1は、タップ操作についての情報が登録されるタップ操作情報登録テーブルであり、タップ操作についての情報は、タップ回数により規定される。図６の例では、１回のタップと３回のタップの２つに対応する２つのタップ操作についての情報が設定され登録されている。
【００３６】
従って、図４及び図５の処理は、タップ操作がされたときの加速度センサ１１の出力信号に基づいて、タップ操作についての情報を、メモリ１３登録するタップ操作情報登録部を構成する。
【００３７】
特に、所定の操作としての、操作ボタン３に対する操作（上記の例では長押し操作）がされると、その操作がされた後の、所定時間内の加速度センサ１１の出力信号に基づいて、タップ操作についての情報の登録が行われる。図４あるいは図５の処理により、互いに異なる複数のタップ操作についての情報が、複数、テーブルTBL1に登録される。
（タップ操作の検出とイベント情報の記録処理）
タップ操作についての情報が図４あるいは図５の処理により活動量計１に登録されている場合に、ユーザがイベントを記録するときのイベント情報の記録処理について説明する。
【００３８】
図７は、ユーザのタップ操作により、活動量計１にイベント情報の記録がされるときのイベント情報の記録処理の例を示すフローチャートである。  
ユーザが操作ボタン３に対して所定の操作、例えば短い時間押す操作をすると、CPU２１が、ROM２２から、イベント情報記録処理プログラムを読み出して、図７の処理が実行される。
【００３９】
操作ボタン３の出力は、CPU２１へ入力されており、CPU２１は、操作ボタン３に対する所定の操作を検出すると、カウンタの値Nを、０にリセットする（S11）。カウンタは、RAM２３中に生成される。
【００４０】
S11の後、CPU２１は、タイマをオンにする（S12）。このタイマは、例えばソフトウエアタイマであり、タイムアウトするまでの時間、例えば２秒、が予め設定されている。  
S12の後、CPU２１は、S12でオンされたタイマがタイムアウトしたか否かを判定する（S13）。
【００４１】
タイマがタイムアウトしていなければ（S13:NO）、CPU２１は、タップの有無を判定する（S14）。このタップの有無の判定は、加速度センサ１１の加速度信号の出力値に基づいて行われ、ここでも、CPU２１は、加速度センサ１１の急峻な出力波形の変化に基づいて、タップの有無を判定する。
【００４２】
タップがあったとき（S14:YES）、CPU２１は、カウントを行う（S15）、具体的には、カウンタのカウント値を１だけ増加する。  
S15の後、CPU２１は、タイマをリセットし（S16）、カウンタ値Nが、タップ回数の上限値である所定数Ln以上であるか否かを判定する（S17）。
【００４３】
タップがなかったとき（S14:NO）、処理は、S13へ移行する。  
カウンタ値Nが、所定数Ln以上でないとき（S17:NO）、処理は、S12へ移行する。  
また、タイマがタイムアウトしたとき（S13:YES）、CPU２１は、カウント値Nが０（ゼロ）でないかを判定する（S20）。
【００４４】
カウント値Nが０（ゼロ）でないとき（S20:YES）、及びカウンタ値Nが所定数Ln以上であるとき（S17:YES）、CPU２１は、カウント値が、登録されたタップ回数と一致するかを判定する（S18）。具体的には、CPU２１は、S15でカウントされたカウント値が、メモリ１３内のテーブルTBL1に登録されたタップ回数の中の１つと、同じ回数であるかを判定する。
【００４５】
S11からS18の処理が、加速度センサ１１の出力信号から、テーブルTBL1に登録されたタップ操作についての情報に対応するタップ操作と同じタップ操作の発生を検出するタップ操作発生検出部を構成する。  
S15でカウントされたカウント値が、テーブルTBL1に登録されているタップ回数の１つと一致するとき（S18:YES）、CPU２１は、イベント情報の記録処理を実行する（S19）。
【００４６】
S15でカウントされたカウント値が、テーブルTBL1に登録されているタップ回数の１つと一致しないとき（S18:YES）、及びカウント値Nが０（ゼロ）であるとき（S20:NO）、処理は、終了する。  
以上のようにして、イベント情報の登録が行われる。  なお、図７の処理に代えて、図８の処理でもよい。
【００４７】
図８は、ユーザのタップ操作により、活動量計１にイベント情報の記録がされるときのイベント情報の記録処理の他の例を示すフローチャートである。  
ユーザが操作ボタン３に対して所定の操作をすると、例えばユーザが操作ボタン３を短い時間押すと、図８の処理が実行される。
【００４８】
まず、CPU２１は、タップ操作検出処理を実行する（S21）。タップ操作検出処理は、操作ボタン３が押下されてから、所定時間内にされたタップ操作を検出する処理である。CPU２１は、加速度センサ１１の急峻な出力波形の変化の有無により、タップ操作の有無を判定する。
【００４９】
S21の後、CPU２１は、タップ回数の判定処理を実行する（S22）。S22では、S21で検出されたタップ操作から、所定時間内のタップ回数が判定される。  
S22の後、CPU２１は、判定されたタップ回数が、登録されたタップ回数と一致するかを判定する（S23）。具体的には、CPU２１は、S22で判定されたタップ回数が、メモリ１３内のテーブルTBL1に登録されたタップ回数の中の１つと、同じ回数であるかを判定する。
【００５０】
S21からS23の処理が、加速度センサ１１の出力信号から、テーブルTBL1に登録されたタップ操作についての情報に対応するタップ操作と同じタップ操作の発生を検出するタップ操作発生検出部を構成する。
【００５１】
判定されたタップ回数が登録されたタップ回数と一致する場合（S23:YES）、CPU２１は、イベント情報の記録処理を実行する（S24）。イベント情報の記録処理は、S22で判定されたタップ回数が、テーブルTBL1に登録されているタップ回数の１つと同じであるとき、そのタップ回数の情報を、時計部１５の時刻情報と共にメモリ１３のイベント情報テーブルTBL2に記録する処理である。
【００５２】
なお、図４と図７では、タップ毎にタイマがリセットされてオンされるので、タップ数が多くしたい場合でも、ユーザは慌てないでタップすることができ、また、タイマの時間を適切に調整すれば、タップ数が少ない場合も、ユーザは、入力が確定するまでの時間を長く感じることはない。
【００５３】
以上のように、S19及びS24の処理が、登録されたタップ操作についての情報に対応するタップ操作と同じタップ操作の発生が検出されたときに、その同じタップ操作の発生したときの時刻情報を、メモリ１３のイベント情報テーブルTBL2に記憶する時刻情報記憶部を構成する。
なお、S19及びS24の処理では、メモリのイベント情報テーブルTBL2に時刻情報を記憶しなくてもよく、その場合、S19及びS24の処理は、登録されたタップ操作と同じタップ操作の発生が検出されたときに、その同じタップ操作の発生したことを示す情報（時刻情報を含まなくてもよい）をメモリ１３に記憶するために出力する同一タップ操作出力部を構成する。
【００５４】
例えば、図６の場合、テーブルTBL1には、１回と３回のタップ回数が登録されているので、S23では、１回のタップあるいは３回のタップのタップ操作があったとき、CPU２１は、そのタップ操作がされたときの時刻情報と共に、タップ回数の情報を、イベント情報テーブルTBL2に記録する。
【００５５】
図９は、イベント情報テーブルTBL2の構成例を示す図である。イベント情報テーブルTBL2には、図９の例では、タップ回数と時刻の一対の情報が複数記録されている。  
なお、図７及び図８の処理において、テーブルTBL1に、タップ操作についての情報が１つしか登録されていない場合は、イベント情報テーブルTBL2には、時刻情報のみが記録されるようにしてもよい。
【００５６】
以上のように、操作ボタン（３）に対する所定の操作がされると、テーブルTBL1に登録されたタップ操作についての情報に対応するタップ操作と同じタップ操作の発生が検出され、同じタップ操作の発生が検出されると、イベント情報が、イベント情報テーブルTBL2に記録される。
【００５７】
なお、ここでは、所定の操作として、例えば操作ボタン３が短い時間押されると、図６の処理が実行されるが、所定の操作がされなくても、CPU２１が加速度センサ１１の出力を常にモニタし、タップ操作が行われたか否かを常に監視することにより、タップ操作発生の検出とイベント情報の登録を行うようにしてもよい。
（イベント情報の送信処理）
CPU２１は、所定のタイミングで、無線通信部１４から、イベント情報テーブルTBL2に記録されているイベント情報を、スマートフォン２へ送信する。所定のタイミングは、活動量計１において、予め設定された時間周期のタイミングであってもよいし、スマートフォン２からの送信要求のタイミングでもよい。  
あるいは、イベント情報テーブルTBL2の空き容量が少なくなったら、CPU２１が、イベント情報テーブルTBL2のイベント情報を自動的に送信するようにしてもよいし、さらにあるいは、イベント情報がイベント情報テーブルTBL2に記録されると直ぐに、CPU２１が、イベント情報テーブルTBL2のイベント情報を送信するようにしてもよい。
（イベント情報の表示処理）
ユーザは、所定のアプリケーションプログラムにより、活動量計１から受信したイベント情報テーブルTBL2の情報に基づいて、イベント情報を、スマートフォン２の表示部２ａに表示させることができる。
【００５８】
例えば、スマートフォン２には図１０のような対応テーブルTBL3が予め設定され、スマートフォン２のCPU（図示せず）は、図１０の対応テーブルTBL3を参照し、イベント情報テーブルTBL2の情報に基づいて、図１１に示すようなイベントリスト表示を行うことができる。
【００５９】
図１０は、タップ回数とイベントの対応関係が登録された対応テーブルTBL3の構成例を示す。  
タップ回数とイベントの対応関係を示す対応テーブルTBL3は、スマートフォン２のメモリ中に登録される。ユーザは、所定のアプリケーションプログラムにより、対応テーブルTBL3に、タップ回数毎のイベントの内容を登録することができる。
【００６０】
スマートフォン２の所定のアプリケーションプログラムにより、スマートフォン２のCPUは、対応テーブルTBL3を参照しながら、活動量計１から受信しイベント情報テーブルTBL2の情報に基づいて、図１１に示すようなイベント記録情報をリスト形式で表示する。
【００６１】
図１１は、表示部２ａに表示されるイベント記録情報リストTBL4の表示例である。ユーザは、スマートフォン２の表示部２ａに表示されるイベント記録情報リストTBL4を見て、自己の行動などのイベントを確認することができる。
【００６２】
以上のように、ユーザは、活動量計１を利用して、簡単に所望のイベントの記録を行うことができ、その結果は、スマートフォンなどの端末装置でイベント情報として表示させることができる。
【００６３】
従って、上述した実施形態によれば、簡単なタップ操作で、所望のイベントの記録を簡単にできる活動量計を提供することができる。  
特に、ユーザは、活動量計１のケースであるバンド４に対してタッピングをするだけであるので、簡単な操作で、イベント情報の記録を行うことができる。
【００６４】
また、各種イベントに対応してタップ数が予め決められておらず、ユーザが任意にタップの回数を所望のイベントに対応付けて活動量計１に登録できるので、ユーザは、各種イベントの記録を自由に行うことができる。逆に、ユーザは任意にタップの回数を活動量計１に登録しておけば、いつでも、所望のイベントを対応付けて、記録することもできる。
【００６５】
さらにまた、活動量計１は、複数のイベントと、各イベントに対応するタップ操作についての情報とを、予め決めてメモリ中に設定する必要がないので、メモリ容量の削減に繋がる。
【００６６】
なお、上述したタップ操作のタップは、シングルタップであるが、ダブルタップでもよい。その場合、タップ回数は、ダブルタップの回数であり、タップ操作情報登録テーブルに登録されるタップ操作についての情報は、ダブルタップのタップ回数により規定される。
【００６７】
さらになお、タップ操作は、シングルタップあるいはダブルタップのタッピングのリズムの違いを有するタップ操作でもよい。その場合、タップ操作情報登録テーブルに登録されるタップ操作についての情報は、シングルタップあるいはダブルタップのリズムの情報を含む。
【００６８】
また、上述した実施形態では、各種処理は、CPU２１により実行されるソフトウエアプログラムで実現されているが、ハードウエア回路により実現してもよい。  
さらにまた、上述した実施形態では、イベント情報は、端末としてのスマートフォン２に送信されて、イベント情報は、スマートフォン２の表示部２ａに表示されているが、イベント情報は、タブレット端末やパーソナルコンピュータなどの端末に送信されて、イベント情報は、タブレット端末などの表示部に表示するようにしてもよい。
【００６９】
本発明のいくつかの実施形態を説明したが、これらの実施形態は、例として示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７０】
１  活動量計、１A  本体部、２  スマートフォン、２ａ  表示部、３  操作ボタン、４  バンド、４ａ、４ｂ  延出部、５  留め具、６  孔、１１  加速度センサ、１２  制御部、１３  メモリ、１４  無線通信部、１５  時計部、１００         イベント情報記録システム。
【図１】
2016041156.tif 000003
【図２】
2016041156.tif 000004
【図３】
2016041156.tif 000005
【図４】
2016041156.tif 000006
【図５】
2016041156.tif 000007
【図６】
2016041156.tif 000008
【図７】
2016041156.tif 000009
【図８】
2016041156.tif 000010
【図９】
2016041156.tif 000011
【図１０】
2016041156.tif 000012
【図１１】
2016041156.tif 000013